(57)【要約】      （修正有）【課題】発電に縦形気密水容器内水中内において空気体浮上力自然エネルギーを活用するため、縦形気密水容器と縦形気密水容器の間に通気配管して空気体循環を起す。【解決手段】建物の壁に縦に備える水容器内に空気体入る空気容器を入れて縦水容器内水量定位置まで水を入れ、縦水容器内底面より給気を行うと水中内を空気体容器共に浮上する力で外重量物を吊り上げる。重量物が吊り上がった時に空気体容器内の空気抜きすると、外重量物は空中を重量分を吊り下げる力を発電に活用する。（空気体循環を起すため）【選択図】図１
2011208626.tif 000002
【特許請求の範囲】
【請求項１】
縦形気密水容器内水中内に空気体入り容器は浮上力自然エネルギー発生を起して空気体浮上力より重量物を吊り上げた後に吊り下げ降りる力を活用して電気を起す発電装置
【発明の詳細な説明】
【技術分野】
【０００１】発電に水中内空気体浮上力を原動力に活用する
縦形水容器内に水を入れる１ｃｃ−１ｇ水と空気の体積比重差浮上力を応用
重量物を吊り上げる原動力は水中内空気体積量で行う
縦形水容器を縦に立てて水容器に空気体が入る空気抜き弁付き容器を入れて水容器内水量定位置まで水を入れる縦形水容器内水中内空気浮上力を重量物引き上げる力に活用するために縦水容器内に入れる空気体容器形態は底なし容器で空気体浮上力を保つ容器装置。
空気体容器に給気は縦形水容器内底面より行う
水中内空気浮上力応用には重量物を吊り上げる力と重量物を吊り上げて重力で下がる力を発電機軸回転に連結し電力エネルギーに変えられる。
【背景技術】
【０００２】水中内空気体浮上力自然エネルギーを活用して重量物吊り上げて吊り上げた重量物を吊り下げて発電・電力エネルギーに変える装置は現在までにはない。
【先行技術文献】
【０００３】水中内において空気体浮上力で発電機軸回転を起す原動力にする
縦形気密水容器を縦に備え水容器内に水を入れ水中内に下開口空気体容器を入れ浮形に水容器内に底面より空気体容器内に給気を行い空気体積にして水中内空気体浮上力を起す
例えば水中内に１００ｌの空気体があると１００ｋｇの重量物を水面上まで上げる力は水中内空気体浮上力
水中内空気体浮上力を活用して重量物を吊り上げ、吊り上げた重量物を吊り下げ降ろす時に空気体容器内の空気を空気抜きすると重量物は吊り下がる、吊り下がる力を発電機軸回転に活用する
発電機軸動力回転を起すために回転主軸に動力回転歯車と反空回り歯車滑車とスポーク車輪変速機を備えてチェーン・ワイヤーロープを歯車滑車に掛けて重量物を吊り降ろす力で発電を行う
【特許文献】
【０００４】水中内自然原理空気浮上力自然エネルギーを応用、水中内に空気体容器を入れて容器内に給気を行い空気体積量浮上力を起し発電する装置
縦形気密水容器内で起す空気体積量浮上力と空気体の循環を起し重量物を吊り上げ重量物を吊り下げ降ろす力で発電を行う発電装置。
水中内空気体浮上力応用発電は連続発電を行うためには縦形気密水容器と縦形気密水容器の間に空気体循環用通気配管を設置して始めの縦形気密水容器内で空気体浮上力を起すことにより水量定位置上の空気体は次の縦形気密水容器内底面に追い出され空気体容器内に入るから空気体浮上力と空気体の循環が起きるため水中内空気体浮上力が連動に起きて行く
【発明の概要】
【発明が解決しようとする課題】
【０００５】重量物の吊り上げ方は水中内空気浮上力を活用する
発電を行うには動力回転が必要として自然エネルギーによる動力回転は水中内空気体浮上力を起し重量物を吊り上げ重量物の吊り下げ降ろす時に重力エネルギー活用して重量物のつり下がる力で動力回転を起す
【課題を解決するための手段】
【０００６】発電を行うには吊り上げた重量物を吊り下がる力を活用する
重量物が吊り上がる時と同時に縦形気密水容器内水中内にある空気体容器が浮上する空気体容器下開口淵に重量物吊り上げ用ワイヤーを備える空気体容器内に空気が入り終ると空気体容器は浮上して重量物は吊り上げられる仕組み重量物吊り下げ降ろしには空気体容器内空気抜き終ると外空中において吊り上がっていた重量分が下がる力を動力回転にして気密水容器内の空気体容器は空気弁が開いたままで水中内を下へ下がる繰り返し行える。
外空中重量物と気密水容器内水中内空気体容器はワイヤー・チェーンで連結する。
【発明の効果】
【０００７】自家発電・電源開発に
重量物を吊り下げ降ろす発電は縦形水容器を三連立体以上備えれば連続発電が行える
縦形水容器を連立に備え空気循環を起し水容器内に給気を行うと連続続行発電する
縦形気密水容器内で水中内空気浮上力による空気循環が起きるために備えた縦形水容器全数に水中内空気浮上力自然エネルギーが発生し発電できる。
【図面の簡単な説明】
【０００８】
【図１】正面立体図
【図２】側面立体図
【図３】平面図
【発明を実施するための形態】
【０００９】縦形気密水容器内水中内空気浮上力自然エネルギー発生を起し活用する
水容器内空気体浮上力で外空中重量物を吊り上げ、吊り上げた重量物を外で吊り下げ降ろす重量分で発電をする仕組み
縦形水容器を縦に立てる櫓又は建物の壁に縦に備える水容器内に空気体入る空気容器を入れて縦水容器内水量定位置まで水を入れ縦水容器内底面より給気を行うと水中内を空気体容器共に浮上する力で外重量物を吊り上げる。重量物が吊り上がった時に空気体容器内の空気抜きすると外重量物は空中を重量分を吊り下げる力を発電に活用する
吊り下がる力で回転する主軸に自動動力回転・反空回りする歯車を備える（自転車後輪）歯車と伴う変速機はスポーク車輪、車輪にチューブレスタイヤを備えタイヤ外径に発電機回転軸を合わせると発電実施が行える
【実施例】
【００１０】水道排水パイプＶＵ管を縦形気密水容器に使用
排水パイプＶＵ管に敵する部材を使い縦形気密水容器にし排水・給水・給気・排気類を上下キャップに装備する縦水容器内には空気抜き弁を付けた空気容器を入れ空気容器下の開口中心にワイヤーロープを結び異形チーズに戸車滑車を備えてワイヤーロープを滑車の間を通し異形チーズと縦水容器を接合して縦水容器を縦に立てて異形チーズの中をワイヤーロープを通し小口ＶＵ管にも通し小口異形チーズ側に接合し小口ＶＵ管を備え立てる排水バルブを閉めて給気バルブを閉める空気循環用バルブは開けたまま縦水容器内水量定位置まで給水し小口管内も同定位置になります外上側に滑車と自動動力回転歯車を備えワイヤーを通し降ろす下にある重量物と結びその後に給気バルブを開き縦水容器内の空気体容器は水中内を浮上すると同時に外に吊るした重量物は吊り上げられて空気体容器内の空気抜きを行うと外重量物は吊り下がりその力で発電を行えた最後の縦水容器内より空気抜きにする
動力回転主軸に自動動力回転歯車にチェーンを掛けて重りと結び回転主軸にスポーク車輪変速機を備え車輪タイヤに発電機回転軸を合せ発電機軸で高速回転を起す
発電機は自動車用ダイナーモーを使用ダイナーモーとバッテリーに結びバッテリーから照明器具の点灯となる
【産業上の利用可能性】
【００１１】水中内空気体浮上力自然エネルギー活用に
重量物吊り上げ・自家発電・電源開発に
【符号の説明】
【００１２】１  縦形気密水容器円筒形
２  スポーク車輪変速機
３  チューブレスゴムタイヤ
４  発電機主軸
５  発電機
６  チェーン  水中内・空中重量物吊り上げ吊り下げ降ろし用（赤線）
７  空気循環用通気パイプ
８  空気体排気弁
９  チェーン・ワイヤー通す小口管・水位調整パイプ
１０  水中に入れる空気体容器下面開口
１１  重り外空中吊り上がり吊り下げ時に発電の動力源
１２  滑車、水中内空気容器浮上力で重りを吊り上げると水中で回る
１３  空気体を空気容器に入れるさい空気抜け止め弁
１４  歯車滑車
１５  排水弁
１６  給気管
１７  縦形気密水容器内水
【図１】
2011208626.tif 000003
【図２】
2011208626.tif 000004
【図３】
2011208626.tif 000005